(57)【要約】【課題】この発明は、スライドフィルム等の整理を容易にし、使用フィルムの出入に際し、整理の必要が内容にすることを目的としたものである。【解決手段】この発明は、台紙にスライドフィルム等の透視窓を設けると共に、該透視窓の一側に撮影年月日、時間、場所、カメラ、レンズその他必要なデータ記入欄を設け、他側のスライドフィルム等の出入側縁にフィルム摘み用の切欠部を設けたことを特徴とするスライドフィルム等のマウントと、ファイルカバーの一側に下部を固定したポールに、スライドフィルム等のマウントの一側を回転自在に取り付けることができるようにしたことを特徴とするスライドフィルム等のマウントファイルにより目的を達成した。【選択図】      図１
2004219905.tif 000002
【特許請求の範囲】
【請求項１】
スライドフィルム等を収容できる台紙にスライドフィルム等の透視窓を設けると共に、該透視窓の一側に撮影年月日、時間、場所、カメラ、レンズなどのデータ記入欄を設け、他側のスライドフィルム等の出入側縁にフィルム摘み用の切欠部を設けたことを特徴とするスライドフィルム等のマウント。
【請求項２】
台紙は、下台紙と上台紙との間に中枠を介装してスライドフィルム等の挿入空間を設けたことを特徴とする請求項１記載のスライドフィルム等のマウント。
【請求項３】
台紙は、下台紙の透視窓部をフィルム収容用に凹入形成したことを特徴とする請求項１記載のスライドフィルム等のマウント。
【請求項４】
透視窓に透明フィルムを貼着したことを特徴とする請求項１、２、３の何れか１項記載のスライドフィルム等のマウント。
【請求項５】
ファイルカバーの一側に下部を固定したポールに、スライドフィルム等のマウントの一側を回転自在に取り付けることができるようにしたことを特徴とするスライドフィルム等のマウントファイル。
【請求項６】
マウントには、スライドフィルム等の透視窓を設け、該透視窓の一側に記録記入欄を設け、他側のファイルの出入縁にスライドフィルム等を摘む切欠部を設けたことを特徴とする請求項５記載のスライドフィルム等のマウントファイル。
【請求項７】
ポールは、一端にファイルカバーとの固定手段を有し、他端に、マウントの抜き出し防止手段を設けたことを特徴とする請求項５記載のスライドフィルム等のマウントファイル。
【発明の詳細な説明】
【０００１】
【発明の属する技術分野】
この発明は、スライドフィルム又はネガフィルムなどのマウントを積層整理し、必要に応じ１枚宛取り出すことができるようにすることを目的としたスライドフィルム等のマウント及びこれを整理するマウントファイルに関する。
【０００２】
【従来の技術】
従来スライドフィルム又はネガフィルムは、アルバム方式又は単品のマウントで商品化されているが、マウントファイル化されたものがなかった。
【０００３】
【特許文献１】特許第２８１４９６８号
【０００４】
【発明により解決しようとする課題】
前記従来のアルバム方式は、整理されているけれども、必要スライドフィルムを取り出すには、当該マウントフィルムをアルバムから取り外す必要があり、かつ取り出したマウントフィルムはバラバラになっているので、旧位置に整理するのに多大の時間労力を必要とする問題点があった。
【０００５】
また、単体マウントフィルムは整理されていないので、これを整理して容易に並べても、不規則使用後は再び整理しなければならない問題点があった。
【０００６】
【課題を解決するための手段】
この発明は、スライドフィルム等を透視することのできる窓を設けると共に、その撮影記録欄を設け、かつフィルム等を摘むための切欠部を設けて、スライドフィルム等のマウントを得た。
【０００７】
また、前記スライドフィルム等のマウントの一側をファイルの一側に植設したポールへ、回転自在に取り付けることにより、前記従来の問題点を解決したものである。
【０００８】
即ち、この発明は、スライドフィルム等を収容できる台紙にスライドフィルム等の透視窓を設けると共に、該透視窓の一側に撮影年月日、時間、場所、カメラ、レンズなどのデータ記入欄を設け、他側のスライドフィルム等の出入側縁にフィルム摘み用の切欠部を設けたことを特徴とするスライドフィルム等のマウントであり、台紙は、下台紙と上台紙との間に中枠を介装してスライドフィルム等の挿入空間を設けたことを特徴とするものである。
【０００９】
また、他の発明は、台紙は、下台紙の透視窓部をフィルム収容用に凹入形成したことを特徴とするものであり、透視窓に透明フィルムを貼着したことを特徴とするものである。
【００１０】
次に、他の発明はコ状ファイルカバーの一側に固定したポールに、スライドフィルム等のマウントの一側を回転自在に取り付けたことを特徴とするスライドフィルム等のマウントファイルである。次に、他の発明は、マウントにはスライドフィルム等の透視窓を設け、該透視窓の一側に記録記入欄を設け、他側のスライドフィルム等の出入縁にスライドフィルム等を摘む切欠部を設けたことを特徴とするものであり、ポールは一端にファイルカバーとの固定手段を有し、他端に、マウントの抜き出し防止手段を設けたことを特徴とするものである。
【００１１】
前記において、ファイルカバーは、合成樹脂製、紙製、その他従来写真アルバムなどに使用した材質が使用できる。
【００１２】
前記ポールは、合成樹脂製又は金属製であって、取付固定が確実にできることが好ましい。
【００１３】
前記発明におけるマウントの回転は、スライドフィルム等が、他のマウントの外側へ飛び出でてフィルム透視時に邪魔にならないことが好ましい。
【００１４】
前記発明においては、フィルム保護の為に透明窓は透明フィルム（例えばポリエチレンフィルム）で覆うことが好ましい。
【００１５】
前記発明において、台紙にフィルムを挿入する為にスペーサーを用いて空隙を設けたり、下台紙を凹入成形して空隙を設けるが、このような形状に限定されるものではない。
【００１６】
【発明の実施の形態】
この発明は、スライドフィルム又はネガフィルム等をマウントに入れ、該マウントの一側を、カバーファイルの一側へ植設したポールに、回転自在に取り付けるようにしたスライドフィルム又はネガフィルム等のマウント及びマウントファイルに関するものである。
【００１７】
この発明は、スライドフィルム等のマウントをファイルに取り付けたまま透過テーブルなどを用い、フィルムを検出することができるようにしたものである。
【００１８】
この発明のマウントは、フィルムの透視窓があると共に、その一側に記録欄が設けてあり、他側縁（フィルム出入縁）にはフィルムを摘む為の切欠部が設けてある。また、透視窓に透明フィルムを設けてスライドフィルム等を保護する。
【００１９】
従って、ファイルしたまま（取り外すことなく）必要なフィルムを見つけ、これを取り出すことができる。
【００２０】
【実施例１】
この発明は、矩形状の２枚の紙板１ａ、１ｂを、小間隙を保って重ね、フィルム等を収容できるようにした紙製台紙１に、フィルムを透視する為のフィルム透視窓２を設け、該フィルム透視窓２の一側に、撮影年月日、撮影時間、場所、カメラ、レンズ、その他必要なデータ記入欄３と、ファイル１０のポール８に嵌装する取り付け孔７を設け、他側のフィルム４を出し入れする縁部に、フィルム４を摘む為の切欠部６を設けてマウント５を構成する。
【００２１】
前記のようにすれば、マウント５のデータ記入欄３により、フィルム４の撮影時の諸元が直ちに判ると共に、フィルム４の出し入れが容易となる。また、取り付け孔７により、ファイル１０のポール８へ容易に回転自在に嵌装できるので、マウント５の整理を容易にしている。
【００２２】
前記マウント５は、基本的構造であって、フィルム４の保護性、フィルム４の出入容易性、マウント５の製造容易性などを持った、各種構造がある。図２、３について、その実施例を説明する。
【００２３】
図２において、下台紙１６ａにフィルムを透視する為のフィルム透視窓１７ａを設け、前記下台紙１６ａにスペーサーとしてコ状の中枠１８ａを重ねて貼着し、該中枠１８上へ、前記透視窓１７ａと重なる透視窓１７ｂを有する上台紙１６ａを重ねて貼着し、この発明のマウント２０を構成した。図中１９ａ、１９ｂは、ファイル１０のポール８に嵌装する取り付け孔、２１ａ、２１ｂ（２１）はフィルム４を摘む為の切欠部、２２はデータ記入欄、２３ａ、２３ｂは前記透視窓１７ａ、１７ｂ（１７）を覆う透明フィルムである。
【００２４】
図３について他の実施例を説明する。下台紙２４ａにフィルム４を収容する為の凹入部２６を設け、凹入部２６へ透視窓２７ａを設けてマウント２５を構成した。図中２８ａ、２８ｂ（２８）はポール８に嵌装する取り付け孔、２９ａ、２９ｂは切欠部、３０は上台紙２４ｂを下台紙に重ねる矢印、３１は透明フィルムである。
【００２５】
前記図２の実施例は、スペーサーとして中枠１８を使用しているので、マウント２０の外面は凸出しない。
【００２６】
前記図３の実施例は、下台紙２４ａに凹入部２６を設けたので、下台紙２４ａの下面は凸出するが、図２のような中枠１８を必要としない利点がある。材料上及び製造上の相違はあるが、使用上の差異はない。
【００２７】
要はマウントを積層整理し、１枚宛外に出して検出し、必要なフィルムを容易に取り出せるマウントならば、何れも使用することができる。
【００２８】
【実施例２】
この発明のファイルの実施例を図４、５について説明すると、側面コ状のファイルカバー１５の一側にポール８の下端を、固定ピン９と座金１１で固定し、前記ポール８の上端にねじキャップ１２を螺合し、前記ファイルカバー１５の一側へバンド１３の一側を固定してこの考案のファイル１０を構成した。図中１４、１４ａはファイルカバー１５及びバンド１３へ固定したマジックファスナー（登録商標）である。
【００２９】
この発明のファイル１０を使用するには、キャップ１２を外してマウント５の取り付け孔７をポール８に嵌装し、図５のように順次積み上げる。この場合に、フィルム番号順などの積み上げ基準を定めておけば、爾後の使用が一層簡単である。
【００３０】
この発明によれば、ポール８を中心にして、マウント５を回転し、積み上げ、外へ取り出して、フィルムを検討し得るので、整理を崩すおそれがなく、使用後は旧位置へ復帰させることができる。
【００３１】
また、ポール８の上端部はねじキャップ１２用の雄ねじ８ａが切ってあるので、雄ねじ８ｃ付きの補助ポール８ｂを継ぎ足し、ポール８の全長を伸長させることができる。
【００３２】
前記バンド１３は、図４鎖線図示のように立ち上げて、マジックファスナー（登録商標）１４、１４ａを接合係止し、ファイル１０の開口側を固定することができる。
【００３３】
【発明の効果】
この発明によれば、スライドフィルム等のマウントに記入欄、切欠部、取り付け孔を設けたので、マウントをファイルへ整然と積み重ね、出入自在に整理し得る効果がある。また、透明窓に透明フィルムを設置すれば、フィルムを保護することができる。
【００３４】
また、ファイルの発明によれば、全体としての積み上げマウントを崩すことなく、必要なフィルムを検出使用し、そのまま旧位置に戻すことができるので、使用の都度整理する必要がなくなるなどの諸効果がある。
【図面の簡単な説明】
【図１】（ａ）この発明のマウントの実施例の平面拡大図。
（ｂ）同じく一部を省略した断面拡大図。
【図２】（ａ）同じくマウントの他の実施例の上台紙を開いた状態の斜視図。
（ｂ）同じく使用状態の実施例の斜視図。
【図３】同じく他の実施例の上台紙を開いた状態の斜視図。
【図４】（ａ）  同じくファイルの実施例の一部を省略した斜視図。
（ｂ）  同じくポールの実施例の展開斜視図。
【図５】同じくファイルの使用状態を示す一部を省略した斜視図。
【符号の説明】
１    台紙
２    フィルム透視窓
３    データ記入欄
４    フィルム
５    マウント
６    切欠部
７    取り付け孔
８    ポール
９    固定ピン
１０  ファイル
１２  ねじキャップ
１５  ファイルカバー
１６ａ  下台紙
１６ｂ  上台紙
１７ａ、１７ｂ  透視窓
２０  マウント
【図１】
2004219905.tif 000003
【図２】
2004219905.tif 000004
【図３】
2004219905.tif 000005
【図４】
2004219905.tif 000006
【図５】
2004219905.tif 000007
【手続補正書】
【提出日】平成15年11月17日(2003.11.17)
【手続補正１】
【補正対象書類名】明細書
【補正対象項目名】０００９
【補正方法】変更
【補正の内容】
【０００９】
また、他の発明は、台紙は、下台紙の透視窓部をフィルム収容用に凹入形成したことを特徴とするものであり、透視窓に透明フィルムを貼着したことを特徴とするものである。前記フィルム収容用の凹入部へフィルムを通常のフィルム袋に入れたまま収容することができる。